(57)【要約】【課題】光ディスクにボーナスグループが記録されている場合、ボーナスグループのパスワードを自動的に抽出してボーナスグループを再生することによりデバッグ処理の効率を向上させることができる光ディスク再生装置を提供する。【解決手段】テストモードにおいてパスワードチェック項目が選択され、テスト用の光ディスク１の情報がロードされ、光ディスク１がＤＶＤオーディオディスクであるとディスク判定手段２２２により判定され、次に、ボーナストラック判定手段２２３により光ディスク１にボーナストラックが存在すると判定された場合、ヒドゥングループ情報からパスワードがパスワード取得手段２２４により取得され、次いでボーナスグループ再生制御手段２２５によりテストモードが解除され、ボーナスグループを再生する制御が行われ、ボーナスグループが再生されることになる。【選択図】      図１
2005044431.tif 000002
【特許請求の範囲】
【請求項１】
光ディスクに記録された情報を再生する光ディスク再生装置において、装置の動作に関するテストを行うテストモードに設定するテストモード設定手段と、前記テストモードにパスワードチェック項目を追加し、前記テストモード設定手段によりテストモードに設定し、該パスワードチェック項目が選択された後、テスト用の光ディスクの情報をロードして当該光ディスクがＤＶＤオーディオディスクであるか否かを判定するディスク判定手段と、当該光ディスクがＤＶＤオーディオディスクであった場合に当該光ディスクにボーナストラックが存在するか否かをヒドゥングループ情報に基づいて判定するボーナストラック判定手段と、前記ボーナストラックが存在する場合に前記ヒドゥングループ情報からパスワードを取得するパスワード取得手段と、前記パスワードを取得すると前記テストモードを解除しボーナスグループを再生する制御を行うボーナスグループ再生制御手段とを有するシステムコントローラを備えたことを特徴とする光ディスク再生装置。
【請求項２】
光ディスクに記録された情報を再生する光ディスク再生装置において、装置の動作に関するテストを行うテストモードにパスワードチェック項目を追加し、該パスワードチェック項目が選択された後、テスト用の光ディスクの情報をロードして、当該光ディスクが所定の規格で記録された情報を有する光ディスクであると判定された場合、パスワードを取得して当該光ディスクの特定情報を再生する制御を行うシステムコントローラを備えたことを特徴とする光ディスク再生装置。
【請求項３】
前記所定の規格とはＤＶＤオーディオ規格であり、前記特定情報とはボーナスグループであることを特徴とする請求項２に記載の光ディスク再生装置。
【請求項４】
前記システムコントローラは、装置の動作に関するテストを行うテストモードに設定するテストモード設定手段と、前記テストモードにおけるパスワードチェック項目が選択された後、テスト用の光ディスクの情報をロードして当該光ディスクがＤＶＤオーディオディスクであるか否かを判定するディスク判定手段と、当該光ディスクがＤＶＤオーディオディスクであった場合に当該光ディスクにボーナストラックが存在するか否かをヒドゥングループ情報に基づいて判定するボーナストラック判定手段と、前記ボーナストラックが存在する場合に前記ヒドゥングループ情報からパスワードを取得するパスワード取得手段と、前記パスワードを取得すると前記テストモードを解除しボーナスグループを再生する制御を行うボーナスグループ再生制御手段とを有することを特徴とする請求項２に記載の光ディスク再生装置。
【発明の詳細な説明】
【０００１】
【発明の属する技術分野】
本発明は、光ディスクに記録された情報を再生する光ディスク再生装置に関し、特に、ＤＶＤオーディオ規格に基づいてＤＶＤ（デジタル・バーサタイル・ディスク）に記録された情報も再生することが可能な光ディスク再生装置に関する。
【０００２】
【従来の技術】
ＤＶＤオーディオ規格では、ヒドゥン（Ｈｉｄｄｅｎ）グループと呼ばれるボーナスグループが定義されている。ＤＶＤオーディオディスクは、トラックの集合であるグループを例えば最大９個まで持つことができる。コンテンツプロバイダーはその内の最終グループをボーナスグループとして定義できる。ＤＶＤオーディオディスクを再生する光ディスク再生装置は、ユーザからコンテンツプロバイダー指定の例えば４桁の数字の入力があった場合にのみ、このボーナスグループを再生することができるようになっている。
【０００３】
ＤＶＤオーディオディスクにボーナスグループを記録するかどうかは、コンテンツプロバイダーの自由である。ユーザは主に光ディスクのジャケットなどに記述された情報からボーナスグループの存在を知ることになる。現在市販されている光ディスクの中にはボーナスグループが記録されているにもかかわらず、ジャケットなどにボーナスグループに関する記述が全くされていない光ディスクも多く存在しているのが現状である。
【０００４】
さて、このような光ディスクからボーナスグループを再生することが可能な光ディスク再生装置を、メーカ側の工場などの検査工程でプログラムチェック、所謂デバッグ処理を行う場合、検査員は、ボーナスグループが記録された光ディスクを光ディスク再生装置に挿入し、ボーナスグループが当該光ディスクに記録されているかを確めるための操作を行い、ボーナスグループを再生可能にするためのパスワードの入力要求が有れば、当該光ディスクにボーナスグループが有ることが分かる。そして、ボーナスグループが正常に再生されるかを確めるために、捜査員は、光ディスク再生装置に対してボーナスグループの再生操作を行い、ボーナスグループを再生させる。
【０００５】
【特許文献１】
特開２００２−３５２５６８号公報
【０００６】
【発明が解決しようとする課題】
しかしながら、従来の光ディスク再生装置では、工場などにおいてデバッグ処理を行う場合、上述したように、検査員により、ボーナスグループが当該光ディスクに記録されているかを確めるための操作を行い、ボーナスグループを再生可能にするためのパスワードの入力要求が有れば、当該光ディスクにボーナスグループが有ることが分かり、更に、ボーナスグループが正常に再生されるかを確めるために、ボーナスグループの再生操作を行って、ボーナスグループを再生させ、ボーナスグループの再生動作に対するデバッグ処理を行っているので、検査員の操作も多くなり、デバッグ処理に時間が多くかかり、デバッグ効率が悪く、それに伴って生産効率も低下してコストダウンを図るのが難しいくなるという課題があった。
【０００７】
なお、特許文献１に記載の情報再生装置では、ボーナスグループの記録された光ディスクの音声および映像情報を再生開始する前に、ユーザが操作を行わなくても、その光ディスクにはボーナスグループが存在していること及びボーナスグループのグループ番号を外部モニタを通してユーザに示すと共に、ボーナスグループ再生のためのキー番号の入力要求を行うようになっているが、これは、ボーナスグループを再生するためのユーザ側の操作が楽になるようにしたものであり、メーカ側の工場などの検査工程で行われるデバッグ処理に関するものではない。
【０００８】
本発明は、上記のような課題を解決するためになされたもので、光ディスクにボーナスグループが記録されている場合、そのボーナスグループのパスワードを自動的に抽出して、そのボーナスグループを再生することにより、デバッグ処理の効率を向上させることができる光ディスク再生装置を提供することを目的とする。
【０００９】
【課題を解決するための手段】
上記目的を達成するために、請求項１の発明は、光ディスクに記録された情報を再生する光ディスク再生装置において、装置の動作に関するテストを行うテストモードに設定するテストモード設定手段と、前記テストモードにパスワードチェック項目を追加し、前記テストモード設定手段によりテストモードに設定し、該パスワードチェック項目が選択された後、テスト用の光ディスクの情報をロードして当該光ディスクがＤＶＤオーディオディスクであるか否かを判定するディスク判定手段と、当該光ディスクがＤＶＤオーディオディスクであった場合に当該光ディスクにボーナストラックが存在するか否かをヒドゥングループ情報に基づいて判定するボーナストラック判定手段と、前記ボーナストラックが存在する場合に前記ヒドゥングループ情報からパスワードを取得するパスワード取得手段と、前記パスワードを取得すると前記テストモードを解除しボーナスグループを再生する制御を行うボーナスグループ再生制御手段とを有するシステムコントローラを備えたことを特徴とする光ディスク再生装置を提供する。
【００１０】
この構成において、テストモード設定手段によりテストモードに設定され、パスワードチェック項目が選択され、テスト用の光ディスクの情報がロードされ、テスト用の光ディスクがＤＶＤオーディオディスクであるとディスク判定手段により判定されると、次に、ボーナストラック判定手段により、前記ＤＶＤオーディオディスクにボーナストラックが存在するか否かがヒドゥングループ情報に基づいて判定される。前記ボーナストラックが存在する場合は、前記ヒドゥングループ情報からパスワードがパスワード取得手段により取得され、次いでボーナスグループ再生制御手段により、前記テストモードが解除され、ボーナスグループを再生する制御が行われる。これにより、ボーナスグループが再生されることになる。
【００１１】
この構成によれば、光ディスクにボーナスグループが記録されている場合、そのボーナスグループのパスワードが自動的に抽出されて、そのボーナスグループが直ぐに再生されるので、デバッグ処理の効率が向上する。
【００１２】
請求項２の発明は、光ディスクに記録された情報を再生する光ディスク再生装置において、装置の動作に関するテストを行うテストモードにパスワードチェック項目を追加し、該パスワードチェック項目が選択された後、テスト用の光ディスクの情報をロードして、当該光ディスクが所定の規格で記録された情報を有する光ディスクであると判定された場合、パスワードを取得して当該光ディスクの特定情報を再生する制御を行うシステムコントローラを備えたことを特徴とする光ディスク再生装置を提供する。
【００１３】
この構成において、テストモードに設定され、パスワードチェック項目が選択され、テスト用の光ディスクの情報がロードされ、テスト用の光ディスクが所定の規格で記録された情報を有する光ディスクであると判定されると、パスワードが取得され、特定情報を再生する制御が行われる。これにより、特定情報が再生されることになる。
【００１４】
この構成によれば、光ディスクに特定情報が記録されている場合、その特定情報のパスワードが自動的に抽出されて、その特定情報が直ぐに再生されるので、デバッグ処理の効率が向上する。
【００１５】
請求項３の発明においては、前記所定の規格とはＤＶＤオーディオ規格であり、前記特定情報とはボーナスグループであるので、ＤＶＤオーディオディスクに記録されたボーナスグループが再生可能になる。
【００１６】
請求項４の発明においては、前記システムコントローラは、装置の動作に関するテストを行うテストモードに設定するテストモード設定手段と、前記テストモードにおけるパスワードチェック項目が選択された後、テスト用の光ディスクの情報をロードして当該光ディスクがＤＶＤオーディオディスクであるか否かを判定するディスク判定手段と、当該光ディスクがＤＶＤオーディオディスクであった場合に当該光ディスクにボーナストラックが存在するか否かをヒドゥングループ情報に基づいて判定するボーナストラック判定手段と、前記ボーナストラックが存在する場合に前記ヒドゥングループ情報からパスワードを取得するパスワード取得手段と、前記パスワードを取得すると前記テストモードを解除しボーナスグループを再生する制御を行うボーナスグループ再生制御手段とを有するので、光ディスクにボーナスグループが記録されている場合、そのボーナスグループのパスワードを自動的に抽出することができ、そのボーナスグループを直ぐに再生することができるようになる。
【００１７】
【発明の実施の形態】
以下、添付図面を参照しつつ、本発明の実施の形態について説明する。図１は本発明の一実施形態に係る光ディスク再生装置の構成を示すブロック図である。この光ディスク再生装置は、光ディスク１を回転させるスピンドルモータ５と、光ディスク１に記録された情報を再生するためのレーザ光を出射すると共に光ディスク１からの反射光を受光する光ピックアップ２と、この光ピックアップ２を光ディスク１の半径方向に移動させるためのスレッド３と、システムコントローラ２２の指示に応じてスピンドルモータ５およびスレッド３を駆動すると共に光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００１８】
また、この光ディスク再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをＲＡＭ７に格納するデジタル信号処理部８と、システムコントローラ２２の指示に応じてデジタル信号処理部８から出力されたデータストリームの中からＤＶＤオーディオ規格に基づいているオーディオデータとサブピクチャデータとビデオデータ（静止画データ）とを分離するストリーム分離部９とを備えている。
【００１９】
また、この光ディスク再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力して所定のデコード処理を行うビデオデコーダ１５と、このビデオデコーダ１５でのデコード処理を行うためにデータを一時的に格納すると共に静止画データを格納するＲＡＭ１４とを備えている。
【００２０】
また、この光ディスク再生装置は、システムコントローラ２２の指示に応じてビデオデコーダ１５から出力されたデータとサブピクチャデコーダ１３から出力されたデータとを合成するビデオプロセッサ１７と、このビデオプロセッサ１７から出力された合成データを表示用のビデオ信号に変換して静止画をディスプレイ装置２０に表示させるビデオエンコーダ１８と、オーディオデコーダ１１から出力されたデータをアナログのオーディオ信号に変換して例えばスピーカ１９に供給するＤ／Ａ変換器１６とを備えている。
【００２１】
また、この光ディスク再生装置は、システムコントローラ２２に対して、音声などの再生指示を与えるための再生キーや、再生停止を指示するための停止キーなどの各種操作キーを有する操作部２１と、装置全体を制御するシステムコントローラ２２とを備えている。なお、操作部２１は、リモートコントローラであっても良いし、装置本体の操作パネルに設けられた操作部であっても良い。以上のような構成を有する光ディスク再生装置は、オーディオ情報の再生に伴って、静止画も再生されるようになっている。
【００２２】
本実施形態の特徴として、システムコントローラ２２には、装置の動作に関するテストを行うテストモードに設定するテストモード設定手段２２１と、前記テストモードにおけるパスワードチェック項目が選択された後、テスト用の光ディスクの情報をロードして当該光ディスクがＤＶＤオーディオディスクであるか否かを判定するディスク判定手段２２２と、当該光ディスクがＤＶＤオーディオディスクであった場合に当該光ディスクにボーナストラックが存在するか否かをヒドゥングループ情報に基づいて判定するボーナストラック判定手段２２３と、前記ボーナストラックが存在する場合に前記ヒドゥングループ情報からパスワードを取得するパスワード取得手段２２４と、前記パスワードを取得すると前記テストモードを解除しボーナスグループを再生する制御を行うボーナスグループ再生制御手段２２５とが備えられている。
【００２３】
ここで、ＤＶＤオーディオディスクのフォーマットで定義されているオーディオ・マネージャ情報（ＡＭＧＩ）について説明する。オーディオ・マネージャ情報は、オーディオ・マネージャ情報管理テーブル（ＡＭＧＩ♯ＭＡＴ）と、オーディオ・タイトル・サーチポインタ・テーブル（ＡＴＴ♯ＳＲＰＴ）と、オーディオ・オンリー・タイトル・サーチポインタ・テーブル（ＡＯＴＴ♯ＳＲＰＴ）と、オーディオ・マネージャ・メニュー・プログラムチェーン情報・ユニット・テーブル（ＡＭＧＭ♯ＰＧＣＩ♯ＵＴ）と、オーディオ・テキスト・データ・マネージャ（ＡＴＸＴＤＴ♯ＭＧ）とを有する。
【００２４】
オーディオ・マネージャ情報管理テーブルには、ヒドゥングループ情報（ＨＧＲ♯ＩＮＦ）が有り、このヒドゥングループ情報には、当該光ディスクにボーナスグループであるヒドゥングループのオーディオ情報が記録されている場合に、そのヒドゥングループのオーディオ情報を再生するために必要なパスワードが含まれている。このパスワードは、例えば、４ビットで表される４桁の数字で示される。
【００２５】
図２は本実施形態の光ディスク再生装置においてボーナスグループの再生動作に関するデバッグ処理を説明するためのフローチャートである。以下、このフローチャートを参照してボーナスグループの再生動作に関するデバッグ処理について説明する。
【００２６】
工場などで検査される光ディスク再生装置に対して検査員は、当該光ディスク再生装置をテストモードにする操作を操作部２１によって行う。これに応答してシステムコントローラ２２のテストモード設定手段２２１は、当該光ディスク再生装置をパスワードチェック項目を含むテストモードに設定する。これにより、当該光ディスク再生装置はテストモード状態になる（ステップＳ１）。
【００２７】
そして、検査員はテストモードの各種項目の中からパスワードチェック項目を選択すると（ステップＳ２）、この後、当該光ディスク再生装置のトレイがオープンする（ステップＳ３）。そして、検査員は、テスト用のＤＶＤオーディオディスクをトレイにセットした後、トレイをクローズして装置本体に挿入する（ステップＳ４）。
【００２８】
この後、テスト用のＤＶＤオーディオディスクよりロードされた（ステップＳ５）オーディオ・マネージャ情報管理テーブルの情報により、システムコントローラ２２のディスク判定手段２２２は、テスト用のＤＶＤオーディオディスクはＤＶＤオーディオディスクであるか否かを判定する（ステップＳ６）。
【００２９】
この場合、テスト用のＤＶＤオーディオディスクはＤＶＤオーディオディスクであるので、次に、システムコントローラ２２のボーナストラック判定手段２２３は、最終グループであるボーナスグループ（ヒドゥングループ）のパスワードが入っているアドレスからヒドゥングループ情報を読み出して、テスト用のＤＶＤオーディオディスクにボーナストラックが存在するか否かを判定する（ステップＳ７）。
【００３０】
そして、ボーナストラックが存在する場合、システムコントローラ２２のパスワード取得手段２２４は、前記ヒドゥングループ情報からパスワードを取得する（ステップＳ８）。前記パスワードを取得すると、システムコントローラ２２のボーナスグループ再生制御手段２２５は、このテストモードを解除し、ボーナスグループを再生する制御を行い、これにより、テスト用のＤＶＤオーディオディスクからボーナスグループが再生され（ステップＳ９）、ディスプレイ装置２０に表示される。
【００３１】
次に、テスト用の光ディスクとして、ボーナスグループが記録されていないＣＤ（コンパクトディスク）やＤＶＤなどの光ディスクを用いた場合の当該光ディスク再生装置のデバッグ処理を説明する。
【００３２】
当該光ディスク再生装置がテストモード状態になった（ステップＳ１）後、検査員はテストモードの各種項目の中からパスワードチェック項目を選択すると（ステップＳ２）、当該光ディスク再生装置のトレイがオープンする（ステップＳ３）。そして、検査員は、テスト用の光ディスクをトレイにセットした後、トレイをクローズして装置本体に挿入する（ステップＳ４）。
【００３３】
この後、前記テスト用の光ディスクよりロードされた（ステップＳ５）オーディオ・マネージャ情報管理テーブルの情報により、システムコントローラ２２のディスク判定手段２２２は、テスト用の光ディスクはＤＶＤオーディオディスクであるか否かを判定する（ステップＳ６）。
【００３４】
この場合、テスト用の光ディスクはＤＶＤオーディオディスクではないので、トレイがオープンされ、これにより、ユーザはそのテスト用の光ディスクを取り出し、別のテスト用の光ディスクに入れ替える。この入れ替えられた光ディスクがＤＶＤオーディオディスクであっても、ボーナストラックが無い場合はディスプレイ装置２０に「ボーナストラック無」を表示し（ステップＳ１０）、再びトレイがオープンされる（ステップＳ３）。
【００３５】
なお、上記実施形態では、「ボーナストラック無」の表示を光ディスク再生装置の外部に設けられたディスプレイ装置２０に表示したが、これに限らず、光ディスク再生装置に備えられている表示部に表示しても良い。
【００３６】
【発明の効果】
以上のように本発明によれば、装置の動作に関するテストを行うテストモードに設定するテストモード設定手段と、前記テストモードにパスワードチェック項目を追加し、前記テストモード設定手段によりテストモードに設定し、該パスワードチェック項目が選択された後、テスト用の光ディスクの情報をロードして当該光ディスクがＤＶＤオーディオディスクであるか否かを判定するディスク判定手段と、当該光ディスクがＤＶＤオーディオディスクであった場合に当該光ディスクにボーナストラックが存在するか否かをヒドゥングループ情報に基づいて判定するボーナストラック判定手段と、前記ボーナストラックが存在する場合に前記ヒドゥングループ情報からパスワードを取得するパスワード取得手段と、前記パスワードを取得すると前記テストモードを解除しボーナスグループを再生する制御を行うボーナスグループ再生制御手段とを有するシステムコントローラを備えたので、光ディスクにボーナスグループが記録されている場合、そのボーナスグループのパスワードを自動的に抽出して、そのボーナスグループを直ぐに再生することができ、これにより、デバッグ処理の効率が向上し、それに伴って生産効率も高まり、コストダウンを図ることもできる。
【００３７】
また、本発明によれば、装置の動作に関するテストを行うテストモードにパスワードチェック項目を追加し、該パスワードチェック項目が選択された後、テスト用の光ディスクの情報をロードして、当該光ディスクが所定の規格で記録された情報を有する光ディスクであると判定された場合、パスワードを取得して当該光ディスクの特定情報を再生する制御を行うシステムコントローラを備えたので、光ディスクに特定情報が記録されている場合、その特定情報のパスワードを自動的に抽出して、その特定情報を直ぐに再生することができ、これにより、デバッグ処理の効率が向上し、それに伴って生産効率も高まり、コストダウンを図ることもできる。
【図面の簡単な説明】
【図１】本発明の一実施形態に係る光ディスク再生装置の構成を示すブロック図である。
【図２】前記実施形態の光ディスク再生装置においてボーナスグループの再生動作に関するデバッグ処理を説明するためのフローチャートである。
【符号の説明】
１    光ディスク
２２    システムコントローラ
２２１    テストモード設定手段
２２２    ディスク判定手段
２２３    ボーナストラック判定手段
２２４    パスワード取得手段
２２５    ボーナスグループ再生制御手段
【図１】
2005044431.tif 000003
【図２】
2005044431.tif 000004